(57)【要約】      （修正有）【課題】捕集部材の裏側（下方）の空気を容易に抜くことにより排水性能の向上を達成することができる排水口の捕集構造を提供する。【解決手段】塵芥を捕集する、凹状を成すと共に排水用の排水穴を複数備える捕集部３、捕集部３の上縁から略水平方向に周縁に沿って連続して突出し、排水口１ａ内に載置される鍔部４、からなる捕集部材２と、施工完了時排水口１ａ内側面と鍔部４の間に配置され、鍔部４中を貫通し、又は排水口１ａの内側面と鍔部４の外側面の間を通過して、捕集部材２の裏側から表側に空気を通過させる通気構造と、から構成する。【選択図】図２
2015101871.tif 000002
【特許請求の範囲】
【請求項１】
排水機器の排水口の捕集構造であって、
塵芥を捕集する、凹状を成すと共に排水用の排水穴３ａを複数備える捕集部３、
捕集部３の上縁から略水平方向に周縁に沿って連続して突出し、排水口１ａ内に載置される鍔部４、
からなる捕集部材２と、
施工完了時排水口１ａ内側面と鍔部４の間に配置され、鍔部４中を貫通し、又は排水口１ａの内側面と鍔部４の外側面の間を通過して、捕集部材２の裏側から表側に空気を通過させる通気構造と、
からなる排水口の捕集構造。
【請求項２】
上記排水口の捕集構造において、
捕集部材２の通気構造の、表側端部５ａが、水平方向を向いた開口であり、上方からの直接の排水の流入を防ぐ天井部７を有することを特徴とする、請求項１に記載の排水口の捕集構造。
【請求項３】
上記排水口の捕集構造において、
捕集部材２の通気構造の、裏側端部５ｂが、捕集部３の下端よりも上方に備えられることを特徴とする、請求項１または請求項２に記載の排水口の捕集構造。
【請求項４】
上記排水口の捕集構造において、
通気構造が、捕集部材２の鍔部４下面と排水口１ａの内側面との間に、通気用の隙間空間を形成するように配置されたリブ片４ａであることを特徴とする、請求項１乃至請求項３のいずれか１つに記載の排水口の捕集構造。
【請求項５】
上記排水口の捕集構造において、
上記リブ片４ａが、排水口１ａまたは捕集部材２に一体的に設けられることを特徴とする、請求項４に記載の排水口の捕集構造。
【請求項６】
上記排水口の捕集構造において、
上記捕集部３の排水用の排水穴３ａの大きさが２ミリメートル以下であることを特徴とする、請求項１乃至請求項５のいずれか１つに記載の排水口の捕集構造。
【請求項７】
上記排水口の捕集構造において、
上記捕集部材２の鍔部４の上面が、排水口１ａの開口周縁よりも低い高さ位置であることを特徴とする、請求項１乃至請求項６のいずれか１つに記載の排水口の捕集構造。
【発明の詳細な説明】
【技術分野】
【０００１】
本発明は、排水口の捕集構造に関し、更に詳しくは、捕集部材の裏側（下方）から表側（上方）に空気を通過させる通気構造を備えた、排水口と捕集部材と、からなる排水口の捕集構造に関するものである。
【背景技術】
【０００２】
従来より、流し台や洗面台、浴槽などの槽体の内部に生じた排水を処理するため、槽体の底面等に排水口を設け、この排水口から、管体等により構成した排水配管を介し下水側に排水を排出する方法が広く知られている。この槽体内からの排水について、排水内には毛髪や厨芥といった塵芥等が混入しており、そのまま排水口から排水配管に流すと塵芥等が排水配管内部に堆積し、または排水配管内面に付着したりして管詰まりを起こす、という問題が生じる。このため、排水口に塵芥等を捕集する捕集部材を配置し、排水の中から塵芥等を取り除いた上で、下流側の排水配管に排水を流すような、排水口の捕集構造が従来から採用されている。
以下に、排水口の捕集構造を採用した排水配管の一例を説明する。
【０００３】
特許文献１に記載の、従来の排水口の捕集構造を採用した排水配管は、以下に記載した槽体としての流し台、排水器本体、捕集部材、接続配管、等の部材から構成されてなる。
流し台は、槽体としての、上方が開口した箱体からなるシンクと、該シンクを載架するキャビネットからなる。また、シンクの底面には、排水器本体を取り付ける取付孔を備えてなる。
排水器本体は、有底筒状の部材であって、外側面に排出口を備えると共に、排水口を形成する、上端の開口部分の周縁に、外方向に突出したフランジ部を備えてなる。
また、フランジ部の下方に雄ネジを、内側面の上端近傍に周縁に沿って段部を、それぞれ設けてなる。
また、排水器本体の雄ネジに螺合する雌ネジを備えたロックナット部材を備えてなる。
また、排水器本体の内側面であって、排出口に連通する開口部分に、トラップ機能を形成するための封水部材を着脱自在に取り付けてなる。
捕集部材は、図２３乃至図２４に図示したような、排水中の厨芥や毛髪等の塵芥を捕集する部材であって、凹状を成すと共に、その全体に、図２５に示したような排水用の排水穴を複数備える捕集部と、捕集部の上縁から略水平方向に周縁に沿って連続して突出し、段部上に載架される鍔部と、からなる。尚、捕集部は全ての塵芥等を捕集すると限るものではなく、排水用の開口から塵芥等の一部が流出しても、塵芥等をある程度の割合で捕集すれば良いものである。
この捕集部の排水穴の一例としては、直径１．５ミリメートル程度の大きさの円形形状で、これを捕集部全体に、図２５のように多数整列させるようにして構成してなる。
尚、意匠性や、排水中の塵芥が捕集部以外の箇所である排水口内側面と鍔部外側面の間を通過することを防ぐ目的で、本従来例の排水器本体内側面と鍔部外側面は共に同じ平面視円形形状で、寸法もほぼ同じ寸法となるように構成されてなる。
但し、排水器本体内側面と鍔部外側面とを完全に同じ寸法とし、隙間が生じないように構成すると、捕集部材が排水口に嵌って取り外しが困難になるため、排水器本体内側面と鍔部外側面の間に、平面視１ミリメートル乃至２ミリメートルの隙間が生じるように、排水器本体内側面よりも鍔部外側面の方を小さな寸法となるように構成してなる。
他に、キャビネット部内部において、排水器本体の排出口から、床下配管まで接続する、パイプ管や継手部材からなる接続配管を備えてなる。
【０００４】
上記のように構成した排水配管の各部材は、以下のようにして槽体である流し台のシンクに施工される。
まず、排水器本体を、シンクの底面の取付孔に上方から挿通し、フランジ部の下面がシンク底面の取付孔の周縁に当接するようにする。次に、ロックナット部材の雌ネジを、排水器本体の雄ネジに螺合させ、フランジ部の下面とロックナット部材の上面とでシンク底面の取付孔の周縁を挟持するようにして取り付け固定する。
次に、排水器本体の排出口と床下配管とを、接続配管を介して接続する。
次に、排水器本体の排出口の内側面側開口に封水部材を接続する。
更に、排水器本体内に捕集部材を、捕集部材の鍔部が、排水器本体の段部上に載置されるように配置して、排水口の捕集構造を採用した排水配管の施工が完了する。
【０００５】
上記のように施工された流し台の排水配管において、流し台を使用し、シンク内に排水が生じると、排水は、排水口から、捕集部材の捕集部を通過した上で、排水器本体内部、封水部材、排出口、接続配管、を介し、最終的に床下配管から下水側に排出される。
また、排水器本体内部に排水が溜まることで、封水部材の排水の流路の一部が満水状態となる。これにより、下水側からの臭気や害虫類の逆流が防止される、トラップ機能を生じる。
また、排水器本体の段部上に捕集部材が載架されたことで、排水が捕集部を通過する際に、排水は排水穴から通過しつつ、排水中の厨芥や毛髪等の塵芥の大部分は捕集部内に捕集され、排水器本体よりも下流側に流出することが無くなる。
このため、排水配管や床下配管内に管詰まり等が生じにくくすることができる。
【０００６】
【特許文献１】特開２００６−２６５８２３号
【発明の開示】
【発明が解決しようとする課題】
【０００７】
上記のように構成した、従来例の排水口の捕集構造には次のような問題があった。
上記した従来例において、捕集部材の鍔部は排水口の段部上に載架されるため、鍔部の下面と排水口の段部上面は全面に渡って当接し、液体、また気体の流路としては閉塞した状態となる。この状態で、例えばシンク内で満水の洗い桶を返す等して排水口に大量に排水が生じた場合、排水は当然ながら捕集部材の捕集部の排水穴を通過して下流側に排出される。しかしながら、捕集部材の下方、即ち捕集部材の裏側と排水器本体内側面との間には、排水が開始されるまで空気が存在し、排水口から排水を流しても、この溜まった空気が存在する限り、排水の通過を阻害し、排水性能を低下させる、という問題があった。
捕集部材の裏側の空気が無くなれば、障害物が無くなるため、排水が効率的に流れることになるが、捕集部材の裏側の空気が無くなるための空気の通気の流路としては、空気が、捕集部材裏側から排水穴を通過して排水口に抜け出すか、排水と共に空気も下流側に流されるか、のいずれかしかない。
１．空気が、排水穴を通過して屋内側に通過する場合
捕集部材下方にあった空気は、排水の通過の際に、表面張力によって、捕集部下方にて大きな空気の塊（気泡）となる。
一方、捕集部の排水穴は、排水中の塵芥を捕集する、という目的上、上記実施例のように、直径１．５ミリメートル程度の円形形状が一般的で、それより大きな排水穴を採用する場合でも、直径２ミリメートル程度の円、または対角線の長さが２ミリメートル程度の正方形／長方形（以下、このように、円／角形にかかわらず、穴の最も長い長さ部分が２ミリメートルである場合を、「２ミリメートルの大きさ」と記載）の大きさが限界の大きさである。
このため、空気が排水穴を通過して屋内側に抜ける場合には、表面張力によって一塊となった大きな空気の泡が、排水穴の開口の大きさ、少なくとも２ミリメートルの大きさまで細かく分裂する必要がある。この分裂には、大きな泡から微小な泡に細分化するための力と、排水穴に気泡が触れることで排水穴の周囲の壁面に貼りついた状態となってから剥がれるための力が必要になる。これらの力は排水の流れや気泡の浮力によって得られるが、排水の量や勢いが、（空気が捕集部材の裏側（下方）から抜けきらない限り、）あまり大きなものではないため、気泡を細分化したり、剥がしたりする工程も円滑に進まない。
また、排水穴は排水を通過させる為の穴であり、この排水穴を空気が排水とは逆方向に通過することは、排水が通過する開口面積がその分少なくなり、排水性能が悪化することを意味する。
よって、空気が、排水穴を通過して屋内側に通過する流れ方では、排水が円滑に行われることは無いと言える。
２．空気が、排水と共に排出口から下流側に押し流される場合
排水と共に空気も下流側に押し流される場合、排水が大量に、且つ勢いよく流れることで空気を下流側に押し流すことになる。なぜならば、空気は水よりも軽いため、排水が多量で且つ勢いが無ければ、空気が下流側に流されることは無いためである。しかし、１．に記載した通り、捕集部材の裏側（下方）に空気が溜まり、留まることで、排水が勢いよく大量に流れることが無いため、空気が下流側に流されることも無い（勢いよく排水が流れるためには空気が流出する必要があり、空気が流出するためには勢いよく排水が流れる必要がある、という堂々巡りの状態となる）。
よって、空気が、排水と共に排出口から下流側に押し流される流れ方でも、排水が円滑に行われることは無いと言える。
結局、いずれの方法においても、空気が排水の障害にならないように速やかに通気する、ということは無く、排水口内に捕集部材を配置した場合は、捕集部材の裏側（下方）の空気が障害となって排水性能が悪化する、という問題があった。
本発明は上記問題点に鑑み発明されたものであって、排水口の捕集構造において、
排水口に捕集部材を配置した場合に、捕集部材の裏側（下方）の空気を容易に抜くことにより排水性能の向上を図るものである。
【課題を解決するための手段】
【０００８】
請求項１に記載の本発明は、排水機器の排水口の捕集構造であって、塵芥を捕集する、凹状を成すと共に排水用の排水穴３ａを複数備える捕集部３、捕集部３の上縁から略水平方向に周縁に沿って連続して突出し、排水口１ａ内に載置される鍔部４、からなる捕集部材２と、施工完了時排水口１ａ内側面と鍔部４の間に配置され、鍔部４中を貫通し、又は排水口１ａの内側面と鍔部４の外側面の間を通過して、捕集部材２の裏側から表側に空気を通過させる通気構造と、からなる排水口の捕集構造である。
【０００９】
請求項２に記載の本発明は、上記排水口の捕集構造において、
捕集部材２の通気構造の、表側端部５ａが、水平方向を向いた開口であり、上方からの直接の排水の流入を防ぐ天井部７を有することを特徴とする、段落０００８に記載の排水口の捕集構造である。
【００１０】
請求項３に記載の本発明は、上記排水口の捕集構造において、
捕集部材２の通気構造の、裏側端部５ｂが、捕集部３の下端よりも上方に備えられることを特徴とする、段落０００９または段落００１０に記載の排水口の捕集構造である。
【００１１】
請求項４に記載の本発明は、上記排水口の捕集構造において、
通気構造が、捕集部材２の鍔部４下面と排水口１ａの内側面との間に、通気用の隙間空間を形成するように配置されたリブ片４ａであることを特徴とする、段落０００８乃至段落００１０のいずれか１つに記載の排水口の捕集構造
排水口の捕集構造である。
【００１２】
請求項５に記載の本発明は、上記排水口の捕集構造において、
上記リブ片４ａが、排水口１ａまたは捕集部材２に一体的に設けられることを特徴とする、段落００１１に記載の排水口の捕集構造
排水口の捕集構造である。
【００１３】
請求項６に記載の本発明は、上記排水口の捕集構造において、
上記捕集部３の排水用の排水穴３ａの大きさが２ミリメートル以下であることを特徴とする、段落０００８乃至段落００１２のいずれか１つに記載の排水口の捕集構造である。
【００１４】
請求項７に記載の本発明は、上記排水口の捕集構造において、
上記捕集部材２の鍔部４の上面が、排水口１ａの開口周縁よりも低い高さ位置であることを特徴とする、段落０００８乃至段落００１３のいずれか１つに記載の排水口の捕集構造である。
【発明の効果】
【００１５】
請求項１に記載の本発明では、捕集部材の鍔部中を貫通し、又は排水口の内側面と鍔部の外側面の間を通過して、捕集部材の裏側（下方）の空気が捕集部材の表側（上方）より排出される構造となっている。このため、捕集部材の裏側、特に捕集部の裏側に空気が留まって、捕集部の排水穴からの排水の通過の障害となることが無くなり、捕集部材を排水口に配置した、排水口の捕集構造の排水性能が向上する。
請求項２に記載の本発明では、排水口における排水の流れが基本的に上方から下方に向かうことに対し、通気用の開口である通気構造の表側の開口端部が水平方向を向いていることで、排水が通気構造内に流入しにくくなり、通気を行うのに好適である。
請求項３に記載の本発明では、捕集部材の通気構造の、裏側端部、特にその下端が、捕集部の下端よりも上方にあることで、捕集部裏側（下方）の空気、少なくとも捕集部下端の裏側（下方）位置にある空気が、確実に通気構造内に流入することになり、捕集部裏側（下方）の空気を確実に排出して、捕集部部分の排水性能を確実なものとすることができる。
請求項４、請求項５に記載の本発明では、通気構造の構成を明確にすることができる。
請求項６に記載の本発明では、捕集部の排水穴の大きさを特定してなる。段落０００７に記載したように、捕集部の排水用の排水穴の大きさは、塵芥等の捕集、という目的から２ミリメートル以下が好適であるが、一方でこの大きさであると、排水口での大量排水時に、排水穴に表面張力によって空気が膜のように広がる場合が多く、排水穴から空気を通気することが困難になる。従って、排水穴以外の箇所からの通気を行う本発明は、このような、捕集部の排水穴の大きさが２ミリメートル以下の捕集部材を用いる場合に特に効果的に機能する、と言える。
請求項７に記載の本発明では、捕集部材の鍔部の上面を、排水口の開口周縁よりも低い高さ位置とすることで、床面上に沿って排水口に水平方向から流れ込む排水が、鍔部周縁を飛び越えて捕集部内に流れ込むため、鍔部に設けた通気構造に対して、排水が流れ込みにくくなっている。
【図面の簡単な説明】
【００１６】
【図１】第一実施例の流し台の施工状態を示す断面図である。
【図２】第一実施例の排水器本体近傍の施工状態を示す断面図である。
【図３】排水器本体及び捕集部材の、部材構成を示す一部を切り欠きした参考図である。
【図４】第一実施例の捕集部材の、上方からの斜視図である。
【図５】第一実施例の捕集部材の正面図である。
【図６】第一実施例の捕集部材の、下方からの斜視図である。
【図７】第一実施例の捕集部材の断面図である。
【図８】第一実施例の捕集部材の底面図である。
【図９】貫通孔を有する捕集部材を採用した実施例の施工状態を示す断面図である。
【図１０】図９の実施例の捕集部材の、上方からの斜視図である。
【図１１】図９の実施例の捕集部材の正面図である。
【図１２】図９の実施例の捕集部材の、下方からの斜視図である。
【図１３】図９の実施例の捕集部材の断面図である。
【図１４】図９の実施例の捕集部材の底面図である。
【図１５】鍔部に切り欠き部を設けた実施例の捕集部材の、上方からの斜視図である。
【図１６】図１５の捕集部材を施工した状態における、排水口の平面図である。
【図１７】切り欠き部に覆い部を備えた捕集部材を採用した実施例の施工状態を示す断面図である。
【図１８】図１７の実施例の捕集部材の、上方からの斜視図である。
【図１９】図１７の実施例の捕集部材の、下方からの斜視図である。
【図２０】段部に凹凸部を備えた実施例の施工状態を示す断面図である。
【図２１】図２０の実施例の施工状態における排水口の平面図である。
【図２２】図２０の実施例の、捕集部材を備えない排水口の平面図である。
【図２３】従来の捕集部材の、上方からの斜視図である。
【図２４】従来の捕集部材の底面図である。
【図２５】捕集部材の捕集部の、円形の排水穴の配列を示す参考図である。
【実施例】
【００１７】
以下に、本発明の実施例を、図面を参照しつつ説明する。
尚、以下の図示において、捕集部材２の凹状を成す捕集部３には、全体に渡って、図２５に示したように、捕集部３全体に渡って、直径１．５ミリメートルの大きさの円形の排水穴３ａが、中心の間隔２．０ミリメートル程度の密度で密集するようにして多数設けられているが、図示が煩雑になる為、図面上では省略している。
図１乃至図８に示した、本発明の第一実施例の排水口１ａの捕集構造を採用した排水配管は、以下に記載した槽体としての流し台Ｎ、排水器本体１、捕集部材２、等の部材から構成されてなる。
流し台Ｎは、槽体としての、上方が開口した箱体からなるシンクＳと、該シンクＳを載架するキャビネットＣからなる。また、シンクＳの底面には、排水器本体１を取り付ける取付孔Ｏを備えてなる。
排水器本体１は、有底円筒状の部材であって、その内部に排水口１ａを形成すると共に、外側面に排出口１ｃを備え、排水口１ａを形成する開口部分の上端周縁に、外方向に突出したフランジ部１ｄを備えてなる。
また、フランジ部１ｄの下方に雄ネジを、内側面の上端近傍に周縁に沿って段部１ｂを、それぞれ設けてなる。
また、排水器本体１の雄ネジに螺合する雌ネジを備えたロックナット部材６を備えてなる。
捕集部材２は、排水中の毛髪等の塵芥を捕集する平面視円形状を成す部材であって、凹状を成すと共に排水用の排水穴３ａを複数備える金属材からなる捕集部３と、捕集部３の上縁から略水平方向に周縁に沿って連続して突出し、後述するリブ片４ａを介して段部１ｂ上に載架される樹脂成型品からなる鍔部４と、からなる。尚、捕集部３は全ての塵芥を捕集すると限るものではなく、排水用の排水穴３ａから塵芥等の一部等が流出しても、塵芥等をある程度捕集すれば良いものである。
本実施例での捕集部３は、厚さ０．３ミリメートル程度のステンレス等の金属の薄板に、直径１．５ミリメートル程度の円形形状の排水穴３ａを多数開口した、いわゆるパンチング材を、金属型にてプレスして椀形状、即ち凹形状に変形させて構成してなる。尚、プレス成型の過程で、一部の排水穴３ａには若干の歪みが生じる場合があるが、変形前の排水穴３ａと比べてその機能に変化はほとんど無い。仮に、排水穴３ａが、当初の１．５ミリメートルに対して、２．０乃至３．０ミリメートルを超える極端に大きな大きさになる等といった、「機能的変化を伴う変形排水穴３ａ」が生じたとしても、排水穴３ａ全体の数に対して、「機能的変化を伴う変形排水穴３ａ」は１乃至２パーセント以下と極めて少数であって、このような変形は、捕集部３全体の機能に大きな影響が出ない範囲で容認される、意図しない例外的な構成である。
尚、ここでいう「機能的変化を伴う変形排水穴３ａ」とは、あくまでも排水穴３ａの大きさが２ミリメートルを超える等の、通気や捕集の機能に、許容範囲を超える変化・変形を起こした排水穴３ａの割合であって、例えば単に円形が楕円になっただけで、形状に変化があっても、排水穴３ａが２ミリメートルを超える大きさになることのない場合は「機能的変化を伴う変形排水穴３ａ」として扱わない。もちろん、排水穴３ａの形状が円形から楕円になることで、排水や空気の流れ、塵芥の捕集性能等には多少の影響が生じるはずであるが、その性能の違い・変化は、誤差範疇に過ぎず、このような変形排水穴３ａは「機能的変化を伴わない変形排水穴３ａ」である。
また、本実施例では、捕集部３の上端に鍔部４を、いわゆるインサート成形よって樹脂成型によって構成し、更に、鍔部４下面に、リブ片４ａを平面視９０度間隔に４つ、一体に成形して構成してなる。尚、本実施例の捕集部材２では、リブ片４ａと捕集部３側面との間にも隙間が備えられてなる。
捕集部材２を排水口１ａに配置すると、排水口１ａの段部１ｂ上に捕集部材２の鍔部４下面のリブ片４ａが載置される。このようにして、捕集部材２を排水口１ａに配置すると、捕集部材２の鍔部４下面と排水口１ａの内側面との間に、通気用の隙間空間が形成される。
即ち、本実施例では、鍔部４に設けられた複数のリブ片４ａと、このリブ片４ａの間であって、且つ鍔部４下面と段部１ｂ上面との間に形成される隙間空間とによって、通気構造が構成されてなる。
この場合、リブ片４ａの間の隙間空間であって外側面側の端部が、隙間空間、つまり通気構造の表側端部５ａとなる。即ち、通気構造の表側端部５ａは、水平方向外側面側を向いて形成され、鍔部４が通気構造の表側端部５ａの上方を覆って、排水口１ａ上方からの通気構造への直接の排水の流入を防ぐ天井部７として機能する。
また、図２より明らかなように、施工完了時、リブ片４ａの下端は、捕集部３の下端よりも上方に配置される。即ち、通気構造の、裏側端部５ｂ（特にリブ片４ａの下端）が、捕集部３の下端よりも上方に備えられてなる。
また、同じく図２より明らかなように、施工完了時、捕集部材２の鍔部４の上面は、排水口１ａの開口部分の周縁よりもある程度低い位置になるように、排水口１ａとその段部１ｂ、またリブ片４ａの寸法を調整して構成されてなる。
尚、意匠性や、排水中の塵芥が捕集部３以外の箇所である排水口１ａ内側面と鍔部４外側面の間を通過することを防ぐ目的で、本実施例の排水器本体１内側面と鍔部４外側面は共に同じ平面視円形形状で、寸法もほぼ同じ寸法となるように構成されてなる。
但し、排水器本体１内側面と鍔部４外側面とを完全に同じ寸法とし、隙間が生じないように構成すると、捕集部材２が排水口１ａに嵌って取り外しが困難になるため、排水器本体１内側面と鍔部４外側面の間に、平面視１ミリメートル乃至２ミリメートルの隙間が生じるように、排水器本体１内側面よりも鍔部４外側面の方を小さな寸法となるように構成してなる。
他に、キャビネットＣ部内部において、排水器本体１の排出口１ｃから、床下配管までを接続する、パイプ管や継手部材からなる接続配管Ｐを備えてなる。接続配管Ｐにはその途中に管体をＳ字形状に屈曲させた排水トラップＴを備え、該排水トラップＴ内に溜まる排水（封水）によって排水の流路を水封状態（配管の流路の一部分を常に封水で満水とし、該封水によって気体や害虫類の通過を不可能とした状態）として、臭気や害虫類が下水側から屋内側に逆流することを防止してなる。
また、特に詳述しないが、配管の接続箇所には、必要に応じて水密的な接続を行う為のパッキン部材ＰＫを配置している。
【００１８】
上記のように構成した排水配管の各部材は、以下のようにして槽体である流し台ＮのシンクＳに施工される。
まず、排水器本体１を、シンクＳの底面の取付孔Ｏに上方から挿通し、フランジ部１ｄがシンクＳ底面の開口の周縁に当接するようにする。次に、ロックナット部材６の雌ネジを、排水器本体１の雄ネジに螺合させ、フランジ部１ｄの下面とロックナット部材６の上面とでシンクＳ底面の取付孔Ｏの周縁を挟持するようにして取り付け固定する。
次に、排水器本体１の排出口１ｃと床下配管とを、排水トラップＴを有する接続配管Ｐを介して接続する。
更に、排水器本体１内に捕集部材２を、捕集部材２の鍔部４下面のリブ片４ａが、排水器本体１の段部１ｂ上に載置されるように配置して、排水口１ａの捕集構造を採用した排水配管の施工が完了する。
【００１９】
上記のように施工された流し台Ｎの排水配管において、流し台Ｎを使用し、シンクＳ内に排水が生じると、排水は、排水口１ａから、捕集部材２の捕集部３を通過した上で、排水器本体１内部、封水部材、排出口１ｃ、接続配管Ｐ、を介し、最終的に床下配管から下水側に排出される。
また、接続配管Ｐ上の排水トラップＴ内に排水が溜まり、流路の一部が満水の状態、即ち水封状態となる。これにより、下水側からの臭気や害虫類の逆流が防止される、トラップ機能を生じる。
また、排水器本体１の段部１ｂ上に捕集部材２が配置されたことで、排水が捕集部３を通過する際に排水中の毛髪や厨芥等の塵芥の大部分が捕集され、排水器本体１よりも下流側に流出することが無くなる。
このため、接続配管Ｐや床下配管内に管詰まり等が生じにくくすることができる。
【００２０】
更に、本第一実施例では、鍔部４下面に、リブ片４ａを平面視９０度間隔に４つ、捕集部材２のリブ片４ａと一体に成形して構成してなり、捕集部材２を排水口１ａに配置すると、排水口１ａの段部１ｂ上に捕集部材２の鍔部４下面のリブ片４ａが載置される。
このようにして、捕集部材２を排水口１ａに配置すると、捕集部材２の鍔部４下面と排水口１ａの内側面との間に、通気用の隙間空間が形成される。
即ち、本実施例では、鍔部４に設けられた複数のリブ片４ａと、このリブ片４ａの間であって、且つ鍔部４下面と段部１ｂ上面との間に形成される隙間空間とによって、通気構造が構成されてなる。
排水口１ａから排水が流された場合、捕集部材２の裏面側（下方側）にあった空気は、一塊の空気（気泡）となるが、鍔部４の近傍に生じた気泡から、そのままリブ片４ａの間の隙間空間を、鍔部４下方から側面方向外側に抜け、排水口１ａ側面と鍔部４側面の間を抜けて屋内側に通気（排気）する。
このように、捕集部材２の裏面側（下方）の空気は、捕集部３の排水穴３ａや排出口１ｃ以外の箇所から順次円滑に抜けてゆき、排水器本体１内の排水の通過を阻害する空気の泡（気泡）が無くなるため、排水を効率的に行うことが可能になる。
尚、鍔部４下方に設けた、通気構造であるリブ片４ａとその間の隙間部分から、円滑に空気が通過する理由としては、次の理由１乃至理由３が上げられる。
理由１．通気構造として設けられた、リブ片４ａ間の隙間空間の大きさは、塵芥の捕集を目的としない為、排水穴３ａよりも大きくできる。詳細には、図７乃至図８のように、横幅即ち円周の幅を、５０ミリメートル乃至１００ミリメートル以上の充分に大きな幅とすることができるので、大きな気泡を細分化することなく、そのまま浮力に沿って上昇させ通気することができる。このリブ片４ａの隙間空間を通過した気泡は、排水器本体１内側面と鍔部４外側面の間を通過して屋内側に通過する。
尚、意匠性や排水中の塵芥が捕集部３以外の箇所を通過することを防ぐ目的で、排水器本体１内側面と鍔部４外側面は共に同じ形状で、且つ排水器本体１内周と鍔部４外周はなるべく同じ寸法に設計される。しかし、排水器本体１内側面と鍔部４外側面とを完全に同じ寸法とし、隙間が生じないように構成すると、捕集部材２が排水口１ａに嵌って取り外しが困難になるため、排水器本体１内側面と鍔部４外側面の間に平面視１ミリメートル乃至２ミリメートルの隙間が生じるように、水器本体内側面よりも鍔部４外側面の方を小さな寸法に設計するのが普通である。
本実施例においても、排水器本体１内側面と鍔部４外側面は、平面視同じ円形形状ではあるが、排水器本体１内側面の内径より、鍔部４外側面との外径が、１ミリメートル乃至２ミリメートル程度小径に形成され、その分隙間が生じるように構成されている。
径方向については、この１ミリメートル乃至２ミリメートル程度の隙間があり、円周方向についてはもとより５０ミリメートル乃至１００ミリメートル以上の充分な隙間がある為、リブ片４ａの隙間空間を通過した気泡は、隙間を通過するのに適切な形に変形はするが、特に細分化する必要なく、円滑に屋内側に通気する。
特に本実施例の捕集部材２では、リブ片４ａと捕集部３側面との間にも隙間が備えられてなる。この隙間を通じて、空気の泡は、リブ片４ａ間の隙間を移動することができ、より一層効果的に空気の泡を移動させ通気を行うことができる。
理由２．通気構造の上流側の端部は、リブ片４ａの間の隙間空間の、鍔部４外縁端部の下方の開放部分である。この部分にも排水が流入すると、その分通気性が悪化するが、開放部分は水平方向外側面を向いており、その上に配置されている鍔部４が屋根の役割をするため、直接排水が流れ込みにくい。
更に、捕集部材２の鍔部４の上面が、排水口１ａの開口周縁よりも低い高さ位置となっており、床面上に沿って排水口１ａに水平方向から流れ込む排水は、鍔部４周縁を飛び越えて捕集部３内に流れ込むため、より一層通気構造内に排水が流れ込みにくくなっている。
理由３．捕集部材２の通気構造の裏面側端部、つまり段部１ｂが、捕集部３の下端よりも上方に備えられてなる。このため、鍔部４の通気構造から鍔部４周辺の空気が屋内側に通気すると、そのまま捕集部３の下方の空気は、上方である鍔部４の通気構造の方に移動し、そのまま通気構造から連続して屋内側に通気される。このように、捕集部材２の通気構造の裏面側端部、つまり段部１ｂが、捕集部３の下端よりも上方に備えられてなることで、捕集部３下方の空気を通気構造の側に円滑に移動させ、通気構造から屋内側に通気することができる。
【００２１】
本発明の第一実施例は以上のようであるが本発明は上記実施例に限定される物ではなく、主旨を変更しない範囲において自由に変更が可能である。
例えば、上記実施例では、本発明の排水口１ａの捕集構造を、流し台ＮのシンクＳに採用して構成してなるが、本発明は上記実施例に限定されるものではなく、洗面台や浴槽・浴室の排水口１ａ等の槽体に採用しても構わない。
【００２２】
また、上記第一実施例では、鍔部４下方に通気構造を設け、この通気構造を通過した空気が、排水口１ａ内側面と、鍔部４外側面の間を通過するように構成されてなるが、本発明は上記実施例に限定されるものではなく、図９乃至図１４に示したように、鍔部４を上下に貫通する通気用の貫通孔８を設け、この貫通孔８を介して捕集部材２裏面（下方）の空気を、捕集部材２表面（上方）側に通気するように構成しても構わない。図９乃至図１４の実施例では、捕集部材２以外の排水器本体１、継手部材等の部材は段落００１７乃至段落００２０に記載した実施例と同じ構成である。
一方で、捕集部材２の構成については、前述のように、鍔部４を上下に貫通する通気用の貫通孔８を設け、この貫通孔８を介して捕集部材２裏面（下方）の空気を、捕集部材２表面（上方）側に通気するように構成すると共に、貫通孔８に天井部７を有する覆い構造１０を設けることで、空気の通気する方向を、水平方向を向くように構成してなる。
【００２３】
また、上記第一実施例では、鍔部４下方に通気構造を設け、この通気構造を通過した空気が、排水口１ａ内側面と、鍔部４外側面の間を通過するように構成されてなるが、本発明は上記実施例に限定されるものではなく、図１５乃至図１６に示したように、通気構造として、鍔部４の外側面から内径側に向かう切り欠き部９を設け、この切り欠き部９を介して捕集部材２裏側の空気を、捕集部材２の表側に通気するように構成しても良い。
図１５乃至図１６の実施例では、捕集部材２以外の排水器本体１、継手部材等の部材は段落００１７乃至段落００２０に記載した実施例と同じ構成である。
一方で、捕集部材２の構成については、前述のように、鍔部４の外側面から内径側に向かう切り欠き部９を複数設け、この切り欠き部９を介して捕集部材２裏面（下方）の空気を、捕集部材２表面（上方）側に通気するように構成している。当然ながら、図１６に示したように、切り欠き部９は鍔部４を段部１ｂに載置した際、段部１ｂより内側に切り欠き部９が配置されて通気可能な開口となるように設計されている。
またこのような構成においては、図１７乃至図１９に示したように、切り欠き部９に、捕集部材２の鍔部４の外側面方向に開口した天井部７を含む覆い構造１０を用いることで、排水時の排水が通気構造に入り込み難く、通気に適した構造とすることができる。
【００２４】
また、上記各実施例では、通気構造を、捕集部材２の鍔部４に設けて構成してなるが、本発明は上記実施例に限定されるものではなく、排水器本体１の排水口１ａ、特に段部１ｂ上に、隙間を構成するためのリブ片４ａまたは凹凸構造を形成したり、あるいは、排水器本体１の排水口１ａや捕集部材２とは全く別の部材としてリブ片４ａ構造を設けても良い。
一例として、図２０乃至図２２に、特に段部１ｂが平面視凹凸となるように構成して隙間を設け、この隙間部分を通気構造とする実施例を示す。この構成では、図２２に示したように、平面視排水口１ａの段部１ｂが凹凸部１１によって切り欠かれたような構成となっている。このため、図２２乃至図２３に示した従来の捕集部材２を取り付けると、図２０乃至図２１示したように、段部１ｂの凹凸部１１の隙間部分から空気が抜けるような構造となっている。
【００２５】
また、鍔部４または段部１ｂとリブ片４ａ等の通気構造を一体とする場合でも、必ずしも一体の成型ではなく、別々の部材として用意した上で、接着などの方法で、一体として機能するように加工する構成としても構わない。
【００２６】
また、上記実施例では、意匠性や、排水中の塵芥が捕集部３以外の箇所である排水口１ａ内側面と鍔部４外側面の間を通過することを防ぐ目的で、本実施例の排水器本体１内側面と鍔部４外側面は共に同じ平面視円形形状で、寸法もほぼ同じ寸法となるように構成されてなるが、本発明は上記実施例に限定されるものでは無く、排水口１ａの形状を平面視円形以外の形としても構わない。
【００２７】
また、上記第一実施例の捕集部３の排水穴３ａの形状は、板状の金属板を、直径１．５ミリメートル程度の大きさの円形に多数打ち抜いた形状にて構成されてなるが、本発明はこれに限定されるものではなく、捕集部３を樹脂製としたり、排水穴３ａの形状を角穴形状として構成してもよい。
また、排水穴３ａの大きさについては、円形形状であれば直径２ミリメートル程度まで、正方形等の角穴形状であれは、例えば一辺１．４ミリメートル角の正方形形状、つまり対角線の大きさが約２．０ミリメートル程度までの大きさに形成すると好適である。
排水穴３ａの大きさを大きくすれば、本発明に依らずとも、排水穴３ａからの通気が容易になるが、一方で捕集部材２の目的である、排水中の塵芥の捕集、という目的に対しては、細かな塵芥が排水穴３ａから流出しやすくなり、不具合である。捕集性能を考えると、排水穴３ａの大きさは２．０ミリメートル程度までが好適であり、この場合には、本発明の構成による通気構造によって捕集部材２下方の空気を屋内側に通気する方が、空気の排出は円滑に行うことができる。
但し、段落００２０に記載した場合と同様に、一部極少数の排水穴３ａが、２．０ミリメートルを超える大きさであったとしても、捕集部材２全体としては、排水穴３ａの大きさが全て２．０ミリメートル以下の大きさだった場合と特に有意な変化を生じない場合は、「２．０ミリメートル以下の排水穴３ａを設けた捕集部３」とすることができる。
例えば、上記実施例では、流し台Ｎの排水口１ａに捕集部材２が設けられてなるが、流し台Ｎの排水口１ａに配置される捕集部材２の捕集部３の排水穴３ａは、約1万個からそれ以上の数になることも普通である。このような流し台Ｎの捕集部材２において、
・約1万個の排水穴３ａの内、１０個程度の排水穴３ａの大きさが３．０ミリメートルで、残る排水穴３ａが全て大きさ２．０ミリメートルであるような捕集部材２と、
・約1万個の排水穴３ａの全ての大きさが２．０ミリメートルであるような捕集部材２とでは、
当然ながら捕集部材２全体として機能面、例えば捕集性能や排水性能、捕集部材２裏面から捕集部材２表面への通気性能等で有意な変化がほぼ生じないことは明らかである。
このように、一部の排水穴３ａが、２．０ミリメートルを若干超える大きさであったとしても、捕集部材２全体としては、排水穴３ａの大きさが全て２．０ミリメートル以下の大きさだった場合と比べ有意と言えるほどの変化を生じない場合は、「２．０ミリメートル以下の排水穴３ａを設けた捕集部３」とすることができる。
【符号の説明】
【００２８】
１    排水器本体              １ａ  排水口
１ｂ  段部                    １ｃ  排出口
１ｄ  フランジ部              ２    捕集部材
３    捕集部                  ３ａ  排水穴
４    鍔部                    ４ａ  リブ片
５ａ  通気構造の表側端部      ５ｂ  通気構造の裏側端部
６    ロックナット部材        ７    天井部
８    貫通孔                  ９    切り欠き部
１０  覆い構造                １１  凹凸部
Ｃ    キャビネット            Ｎ    流し台
Ｏ    取付孔                  Ｐ    接続配管
ＰＫ  パッキン部材            Ｓ    シンク
Ｔ    排水トラップ
【図１】
2015101871.tif 000003
【図２】
2015101871.tif 000004
【図３】
2015101871.tif 000005
【図４】
2015101871.tif 000006
【図５】
2015101871.tif 000007
【図６】
2015101871.tif 000008
【図７】
2015101871.tif 000009
【図８】
2015101871.tif 000010
【図９】
2015101871.tif 000011
【図１０】
2015101871.tif 000012
【図１１】
2015101871.tif 000013
【図１２】
2015101871.tif 000014
【図１３】
2015101871.tif 000015
【図１４】
2015101871.tif 000016
【図１５】
2015101871.tif 000017
【図１６】
2015101871.tif 000018
【図１７】
2015101871.tif 000019
【図１８】
2015101871.tif 000020
【図１９】
2015101871.tif 000021
【図２０】
2015101871.tif 000022
【図２１】
2015101871.tif 000023
【図２２】
2015101871.tif 000024
【図２３】
2015101871.tif 000025
【図２４】
2015101871.tif 000026
【図２５】
2015101871.tif 000027